(57)【要約】【課題】高寿命、低コストの製品を提供すると共に、組立不良を低減して品質を向上し、小型でショートストロークの２段クリック機能付きスイッチを提供する。【解決手段】２段クリック機能付きの接点ばね（１）と平板または箱型のスイッチ基台（１１）とを組み合わせて、２段クリック機能付きスイッチ（１０）を構成する。接点ばね（１）は、１枚の円形ばね材（２）に長孔（３）を形成し、長孔（３）よりも外側に皿状ないしドーム形状の第１の可動接点部（４）を形成すると共に、長孔（３）よりも中心側にドーム形状の第２の可動接点部（５）を形成し、隣り合う長孔（３）の間を連結部（９）によりつなぎ、連結部（９）の凹面側の突起状部分に第１の可動接点（６）を形成し、また第２の可動接点部（５）の凹面側中央に第２の可動接点（７）を形成し、円形ばね材（２）の外周端に２個以上の支持片（８）を中心角に対し等間隔に形成してなる。【選択図】図４
2010177044.tif 000002
【特許請求の範囲】
【請求項１】
２段クリック機能付きの接点ばね（１）とスイッチ基台（１１）とを組み合わせて構成されており、
上記２段クリック機能付きの接点ばね（１）は、１枚の円形ばね材（２）に２個以上の円弧状の長孔（３）を中心角に対して等間隔で同一円の円周方向に不連続として形成し、長孔（３）よりも外側の円形ばね材（２）の部分を皿状ないしドーム形状に形成して、反転復帰可能な第１の可動接点部（４）を形成すると共に、長孔（３）よりも中心側の円形ばね材（２）の部分を第１の可動接点部（４）と同じ向きの凹凸としてドーム形状に形成して、反転復帰可能な第２の可動接点部（５）を形成し、隣り合う長孔（３）の間で第１の可動接点部（４）と第２の可動接点部（５）とを連結部（９）によってつなぎ、連結部（９）の凹面側の突起状部分により第１の可動接点（６）を形成し、また、第２の可動接点部（５）の凹面側中央に第２の可動接点（７）を形成し、円形ばね材（２）の外周端に２個以上の支持片（８）を中心角に対し等間隔に形成してなり、さらに、第１の可動接点部（４）の反転荷重を第２の可動接点部（５）の反転荷重よりも小さく設定し、かつ第１の可動接点部（４）の復帰荷重を第２の可動接点部（５）の復帰荷重よりも小さく設定してなり、
上記スイッチ基台（１１）は、２段クリック機能付きの接点ばね（１）に向き合う面において、第１の可動接点部（４）に対応する位置に第１の固定接点（１２）、第２の可動接点部（５）に対応する位置に第２の固定接点（１３）をそれぞれ有する、ことを特徴とする２段クリック機能付きスイッチ（１０）。
【請求項２】
隣合う２つの支持片（８）の円周方向中間位置に、連結部（９）および第１の可動接点（６）を形成する、ことを特徴とする請求項１記載の２段クリック機能付きスイッチ（１０）。
【請求項３】
第１の可動接点部（４）を異なる形状の複数の皿状ないしドーム形状から構成し、異なる形状の境界位置で円形ばね材（２）の中央位置を中心とする円形の曲げ部（４ａ）を形成する、ことを特徴とする請求項１、または請求項２記載の２段クリック機能付きスイッチ（１０）。
【請求項４】
第２の可動接点部（５）を異なる形状の複数のドーム形状の組み合わせ、およびドーム形状と円錐面との異なる形状の組み合わせの何れかにより構成し、異なる形状の境界位置で円形ばね材（２）の中央位置を中心とする円形の曲げ部（５ａ）を形成する、ことを特徴とする請求項１、請求項２、または請求項３記載の２段クリック機能付きスイッチ（１０）。
【請求項５】
長孔（３）および支持片（８）を中心角に対し等間隔で同じ位相のもとに４個形成する、ことを特徴とする請求項１、請求項２、請求項３、または請求項４記載の２段クリック機能付きスイッチ（１０）。
【請求項６】
スイッチ基台（１１）を平板型として構成し、スイッチ基台（１１）にカバーシート（１４）を附属させておき、スイッチ基台（１１）とカバーシート（１４）との間で２段クリック機能付きの接点ばね（１）を保持する、ことを特徴とする請求項１、請求項２、請求項３、請求項４、または請求項５記載の２段クリック機能付きスイッチ（１０）。
【請求項７】
スイッチ基台（１１）を箱型として構成し、２段クリック機能付きの接点ばね（１）を箱型のスイッチ基台（１１）の内部で保持する、ことを特徴とする請求項１、請求項２、請求項３、請求項４、または請求項５記載の２段クリック機能付きスイッチ（１０）。
【発明の詳細な説明】
【技術分野】
【０００１】
本発明は、オーディオ機器、ビデオ機器、通信機器、測定器、その他の電気機器、カメラなどの光学機器に信号入力部として組み込まれる２段階のクリック機能付きのスイッチに関する。
【背景技術】
【０００２】
特許文献１は、１枚の接点ばね（第１可動接点）で２段階の感触（クリック感）を得ることを開示している。その特許文献１の第１可動接点の形状では、中央の円板部と外周縁のリング状枠部との連結片が中央の円板部の直径線上に狭い幅のものとして２個しか存在しない。このため、寿命試験によると、荷重、クリック率が増加するにつれて、連結片の根本部分にクラックが発生しやすく、寿命が短いという欠点があった。
【０００３】
また、特許文献１の技術によると、外周縁のリング状枠部は、中心に対して９０度ごとに４個、または１８０度ごとに２個の絞り部を有している。それらの絞り部は、平板状のリング状枠部に半径方向のビードを形成し、ビードの形成位置でリング状枠部の材料を周方向に引き寄せ、ドーナツ形状のリング状枠部の全体を歪ませて、リング状枠部にクリック機能を持たせている。その技術では、ビードの形成によって、連結片が第１可動接点の外周底面より高くなるため、一段目の動作ストロークが長く、繰り返し疲労に弱いという欠点もある。
【０００４】
また、特許文献２は、２枚ばね式の２段スイッチ（２段クリックばね）を開示している。その２段クリックばねでは、重ね合わせるための構造上、接触部の突起形状を設けたり、位置ずれしないような形状にしたりするため、複雑な形状にする必要があった。また２枚ばねを組み立てるため、加工工数がかかり、これがコストアップの要因となっていた。
【先行技術文献】
【特許文献】
【０００５】
【特許文献１】特開２００２−３５２６６４号公報
【特許文献２】特開２００５−２５９４６２号公報
【発明の概要】
【発明が解決しようとする課題】
【０００６】
したがって、本発明の解決課題は、従来の１枚の接点ばねに比べて高寿命で、低コストの製品を提供すると共に、２枚ばね式の２段クリックばねに比べ、低コスト、組立不良を低減して品質を向上し、小型でショートストロークの接点ばねの製作を可能として、小型機器に利用しやすい２段クリック機能付きのスイッチを提供することである。
【課題を解決するための手段】
【０００７】
上記の課題のもとに、本発明は、２段クリック機能付きの接点ばね（１）と平板型または箱型のスイッチ基台（１１）とを組み合わせて、２段クリック機能付きスイッチ（１０）を構成している。
【０００８】
接点ばね（１）は、１枚の円形ばね材（２）に２個以上の円弧状の長孔（３）を中心角に対して等間隔で同一円の円周方向に不連続として形成し、長孔（３）よりも外側の円形ばね材（２）の部分を皿状ないしドーム形状に形成して、反転復帰可能な第１の可動接点部（４）を形成すると共に、長孔（３）よりも中心側の円形ばね材（２）の部分を第１の可動接点部（４）と同じ向きの凹凸としてドーム形状に形成して、反転復帰可能な第２の可動接点部（５）を形成し、隣り合う長孔（３）の間で第１の可動接点部（４）と第２の可動接点部（５）とを連結部（９）によってつなぎ、連結部（９）の凹面側の突起状部分により第１の可動接点（６）を形成し、また、第２の可動接点部（５）の凹面側中央に第２の可動接点（７）を形成し、円形ばね材（２）の外周端に２個以上の支持片（８）を中心角に対し等間隔に形成して、構成されている。そして、第１の可動接点部（４）の反転荷重は、第２の可動接点部（５）の反転荷重よりも小さく設定され、かつ第１の可動接点部（４）の復帰荷重は、第２の可動接点部（５）の復帰荷重よりも小さく設定されている（請求項１）。
【０００９】
また、スイッチ基台（１１）は、上記の接点ばね（１）に向き合う面において、第１の可動接点部（４）に対応する位置に第１の固定接点（１２）を有し、第２の可動接点部（５）に対応する位置に第２の固定接点（１３）を有している（請求項１）。
【００１０】
上記の２段クリック機能付きスイッチ（１０）において、連結部（９）および第１の可動接点（６）は、隣合う２つの支持片（８）の円周方向中間位置に形成されている（請求項２）。第１の可動接点部（４）は、異なる形状の複数の皿状ないしドーム形状から構成されており、異なる形状の境界位置で円形ばね材（２）の中央位置を中心とする円形の曲げ部（４ａ）を形成している（請求項３）。
【００１１】
上記の２段クリック機能付きスイッチ（１０）において、第２の可動接点部（５）は、異なる形状の複数のドーム形状の組み合わせ、およびドーム形状と円錐面との異なる形状の組み合わせの何れかにより構成されており、異なる形状の境界位置で円形ばね材（２）の中央位置を中心とする円形の曲げ部（５ａ）を形成している（請求項４）。長孔（３）および支持片（８）は、中心角に対し等間隔で同じ位相のもとに４個形成されている（請求項５）。
【００１２】
上記の２段クリック機能付きスイッチ（１０）において、スイッチ基台（１１）は、平板型として構成されており、附属部品としてカバーシート（１４）を具備しており、２段クリック機能付きの接点ばね（１）は、平板型のスイッチ基台（１１）とカバーシート（１４）との間で保持される（請求項６）。
【００１３】
上記の２段クリック機能付きスイッチ（１０）において、スイッチ基台（１１）は、箱型として構成されており、２段クリック機能付きの接点ばね（１）は、箱型のスイッチ基台（１１）の内部で保持されている（請求項７）。
【発明の効果】
【００１４】
本発明に係る２段クリック機能付きスイッチ（１０）では、次の効果が得られる。１枚の円形ばね材（２）によって、反転復帰可能な第１の可動接点部（４）および反転復帰可能な第２の可動接点部（５）が皿状ないしドーム形状として形成され、それぞれについて独立にクリック動作が得られるから、既存の２枚ばねを使用した２段クリック接点よりも、部品点数が減少し、製品が低コストとなる（請求項１）。
【００１５】
また、１つのスイッチ基台（１１）に、第１の固定接点（１２）および第２の固定接点（１３）があり、それらが同じ面にあって、接点ばね（１）の変形方向、すなわちスイッチ基台（１１）の面に垂直な方向に変位しないから、２段クリック動作のときのストロークに変化がなく、安定な２段クリック動作が長い期間にわたり確保できる（請求項１）。
【００１６】
既存の２枚ばねを使用した２段クリック接点では、組み合わせ時の位置ずれを防止するために、ぞれを位置決めする手段が必要であった。これに対して、本発明では、複数の連結部（９）の存在によって、第１の可動接点部（４）と第２の可動接点部（５）とが１枚の円形ばね材（２）によって位置決め状態で連結されるため、相対的な位置ずれが発生することはなく、また連結部（９）が２個以上あり、その幅も大きくできるから、それぞれの連結部分に作用する曲げ応力や負荷が緩和され、高寿命化が図られる（請求項１）。
【００１７】
従来の例によると、一段目の動作ストロークを短くするために、水平方向で曲げて寄せ、絞り部によりドーナツ形状部の全体を歪ませて、クリック感触を得ている。これに対して本発明では、１枚の円形ばね材（２）から第１の可動接点部（４）および第２の可動接点部（５）を皿状ないしドーム形状として形成するだけで、それぞれ独立にクリック動作を行わせているから、構成が簡単になり、しかも小型でショートストロークの製品の製作も容易となる（請求項１）。
【００１８】
複数の円弧状の長孔（３）が第１の可動接点部（４）と第２の可動接点部（５）とを材料の変形機能上から分離しているため、それらの２つのクリック動作が独立して段階的に得られる。また、第１の可動接点部（４）と第２の可動接点部（５）との間の反転荷重、復帰荷重の設定によって、２つのクリック動作（反転動作・復帰動作）に優先付けが行われるため、スイッチ動作の優先順位が確実となる（請求項１）。
【００１９】
隣合う２つの支持片（８）の円周方向の中間位置に、第１の可動接点（６）および連結部（９）が形成されていると、２つの支持片（８）の間で第１の可動接点部（４）がスイッチ操作時の力でたわみ変形しやすいため、クリック感が良くなり、固定接点（１２）に対する第１の可動接点（６）の接触も良好となる（請求項２）。
【００２０】
第１の可動接点部（４）や第２の可動接点部（５）が単一の形状であれば、それらが単純な形状となるため、その製作が容易となる。これに対して、第１の可動接点部（４）や第２の可動接点部（５）が複数の異なる形状のものとして形成されていると、異なる形状の境界位置に円形の曲げ部（４ａ、５ａ）が形成されるため、それらの曲げ部（４ａ、５ａ）によって第１の可動接点部（４）および第２の可動接点部（５）の剛性が調節でき、クリック動作のための反転力、復帰力の設定にも柔軟に対応できる（請求項３および請求項４）。
【００２１】
長孔（３）および支持片（８）が中心角に対し等間隔で同じ位相のもとに４個形成されていると、全体のバランスがよく、スイッチ操作のときに、斜め方向の力や中心から外れた力が作用したときでも、安定したクリック動作、スイッチング動作が期待できる（請求項５）。
【００２２】
上記の２段クリック機能付きスイッチ（１０）において、２段クリック機能付きの接点ばね（１）が平板型のスイッチ基台（１１）とカバーシート（１４）との間で保持されていると、２段クリック機能付きスイッチ（１０）が薄型のものとして構成でき、しかもカバーシート（１４）が内部の接点ばね（１）を包み込むため、内部の接触部分が水の浸入やごみの侵入などから保護され、スイッチの使用環境の悪い位置での使用も可能となる（請求項６）。
【００２３】
上記の２段クリック機能付きスイッチ（１０）において、スイッチ基台（１１）が箱型として構成されていると、カメラのシャターボタンのスイッチとして使用するときなど、組み込み先の機器の基板やフレームに対して取付けや組み込みが容易となり、箱型のスイッチ基台（１１）の内部でスイッチングに必要な空間も周囲の部品に影響されず確保できる（請求項７）。
【図面の簡単な説明】
【００２４】
【図１】本発明の２段クリック機能付きスイッチの接点ばねの平面図である。
【図２】薄型の２段クリック機能付きスイッチに用いられる平板型のスイッチ基台の平面図である。
【図３】接点ばねを平板型のスイッチ基台に組み込んで、薄型の２段クリック機能付きスイッチを組み立てた状態を示し、図１のＡ−Ａ矢印方向に対応する位置での断面図である。
【図４】図１のＢ−Ｂ矢印方向に対応する位置において、薄型の２段クリック機能付きスイッチの動作前の説明図であり、（１）はスイッチ動作前の断面図、（２）はスイッチ動作前の回路図である。
【図５】図１のＢ−Ｂ矢印方向に対応する位置において、薄型の２段クリック機能付きスイッチの説明図であり、（１）は１段目のスイッチ動作時の断面図、（２）は１段目のスイッチ動作時の回路図である。
【図６】図１のＢ−Ｂ矢印方向に対応する位置において、薄型の２段クリック機能付きスイッチの説明図であり、（１）は２段目のスイッチ動作時の断面図、（２）は２段目のスイッチ動作時の回路図である。
【図７】箱型の２段クリック機能付きスイッチに用いられる箱型のスイッチ基台の平面図である。
【図８】接点ばねを箱型のスイッチ基台に組み込んで、箱型の２段クリック機能付きスイッチを組み立てた状態を示し、（１）はスイッチ動作前の断面図、（２）はスイッチ動作前の回路図である。
【図９】接点ばねを箱型のスイッチ基台に組み込んで、箱型の２段クリック機能付きスイッチを組み立てた状態を示し、（１）は１段目のスイッチ動作時の断面図、（２）は１段目のスイッチ動作時の回路図である。
【図１０】接点ばねを箱型のスイッチ基台に組み込んで、箱型の２段クリック機能付きスイッチを組み立てた状態を示し、（１）は２段目のスイッチ動作時の断面図、（２）は２段目のスイッチ動作時の回路図である。
【発明を実施するための形態】
【００２５】
本発明は、図１の２段クリック機能付きの接点ばね１を主要部とし、実施例１では、接点ばね１に図２の平板型のスイッチ基台１１を組み合わせて、薄型の２段クリック付機能きスイッチ１０を構成しており、また、実施例２では、接点ばね１に図７の箱型のスイッチ基台１１を組み合わせて、箱型の２段クリック付機能きスイッチ１０を構成している。
【実施例１】
【００２６】
図１ないし図６は、薄型の２段クリック付機能きスイッチ１０を示している。図１および図３において、接点ばね１は、厚み０．０４〜０．１ｍｍの程度で銀またはニッケルメッキのステンレス板を直径３〜６ｍｍの円形に打ち抜いた１枚の円形ばね材２により構成されている。円形ばね材２は、２個以上、好ましくは４個の円弧状の長孔３を中心角に対し等間隔で円周方向に不連続として有しており、これらの長孔３よりも外側の部分で皿状ないしドーム形状の反転復帰可能な第１の可動接点部４を形成すると共に、長孔３よりも中心側の部分で第１の可動接点部４と同じ向きの凹凸のドーム形状の反転復帰可能な第２の可動接点部５を形成している。
【００２７】
円弧状の長孔３、第１の可動接点部４および第２の可動接点部５は、通常、円形ばね材２の打ち抜き加工の際に、打ち抜きまたは曲げ加工によって形成されるが、円形ばね材２の打ち抜き加工の後の打ち抜きまたは曲げ加工によって形成することもできる。曲げ加工のときに、第１の可動接点部４は、単一の皿状ないしドーム形状、または異なる形状の複数の皿状ないしドーム形状から構成されている。また、第２の可動接点部５は、単一のドーム形状により形成されるか、または異なる形状の複数のドーム形状の組み合わせ、もしくはドーム形状と円錐面との異なる形状の組み合わせにより構成されている。
【００２８】
図示の例において、第１の可動接点部４は、異なる形状の２つの皿状面により形成されているため、それらの境界位置にゆるやかな１つの曲げ部４ａが形成されている。また第２の可動接点部５は、裾部の円錐面と頂部のドーム形状とを組み合わせにより形成されているため、それらの境界位置に１つの曲げ部５ａが形成されている。これらの曲げ部４ａ、５ａは、円形ばね材２の中央位置を中心とする円形として現れており、図１上で点線により表されている。
【００２９】
曲げ部４ａ、５ａは、円形ばね材２の剛性を高めるため、皿状の第１の可動接点部４およびドーム形状の第２の可動接点部５を凸側から押して、それらを反転させるときの荷重、すなわち反転荷重を加減するときに有効である。通常、これらの曲げ部４ａ、５ａの形成によって、反転荷重は、曲げ部４ａ、５ａのないものよりも大きくなる。なお、長孔３が存在しているため、曲げ加工による曲げ部４ａ、５ａの形成は、長孔３のないときよりも容易となる。
【００３０】
第１の可動接点部４と第２の可動接点部５とは、隣り合う長孔３の間で連結部９によってつながっている。この例の場合、連結部９は、４つの長孔３に対応して４個あり、それらの幅（隣り合う長孔３の間隔）は、長孔３の長さを増減することによって調節できる。なお、後述するように、連結部９は、スイッチング動作（クリック動作）のときに折り曲がり部分となり、折り曲がりによって凹面側に突出する突起状部分により、４個の第１の可動接点６を形成している。なお、連結部９の曲げによりその部分に繰り返し疲労が起きやすいことから、連結部９の幅は、耐用年数やスイッチング動作の回数などを考慮して設定される。
【００３１】
また、第２の可動接点部５は、凹面側の中央部分に、第２の可動接点７を形成している。この第２の可動接点７は、図示のように、凹面の平坦なままの形態とするか、あるいは図示しないが、凹面側に凸の１または２以上の突起状のものとして形成する。
【００３２】
図示の例において、皿状の第１の可動接点部４は、凹面側で大きな直径の曲面となっており、これに対し、ドーム形状の第２の可動接点部５は、第１の可動接点部４の中心位置にあって、凹面側で小さな直径の曲面となっている。このため、第２の可動接点部５の剛性は、第１の可動接点部４の剛性よりも大きくなっている。したがって、第１の可動接点部４の反転荷重は、第２の可動接点部５の反転荷重よりも小さく設定されており、かつ第１の可動接点部４の復帰荷重は、第２の可動接点部５の復帰荷重よりも小さく設定されている。なお、前記のように、これらの荷重の設定は、曲げ部４ａ、５ａの形成によっても調節できる。
【００３３】
円形ばね材２の外周端は、２個以上、好ましくは４個の支持片８を中心角に対して等間隔に形成している。これらの支持片８は、スイッチ基台１１の上面に接し、第１の可動接点６や、第２の可動接点７をスイッチ基台１１の第１の固定接点１２や、第２の固定接点１３に接しない状態として支持する。連結部９は、スイッチング動作のときに、第１の可動接点部４の変形を促すために、隣合う２つの支持片８の円周方向の中間に位置し、２つの支持片８の間で形成されている。
【００３４】
つぎに、図２において、平板型のスイッチ基台１１は、その上面で第１の固定接点１２、第２の固定接点１３を有しており、スイッチ基台１１の附属部品としてカバーシート１４を具備している。カバーシート１４は、絶縁性のフイルムシート、ゴムシートなどの粘着シートで構成され、スイッチ基台１１の周縁に粘着や接着などの固着手段によって固定される。
【００３５】
第１の固定接点１２は、四角形の１つの対角線上で２分割され、一端をそれぞれ第１の可動接点６に対応する位置で円形として形成され、他端をスイッチ基台１１から突出させ、突出部分で第１の端子１５を形成している。また、第２の固定接点１３は、四角形の他の１つの対角線上で連続しており、中心位置で第２の可動接点７に対応する位置で円形を形成し、両端をスイッチ基台１１から突出させて、突出部分で第２の端子１６を形成している。第１の端子１５、第２の端子１６は、図４ないし図６の（２）、図８ないし図１０の（２）において、回路上でａ、ｂ、ｃとしても表示されている。
【００３６】
図３は、接点ばね１を平板型のスイッチ基台１１に組み込んで、薄型（シート型）の２段クリック機能付きスイッチ１０を構成した状態を示している。接点ばね１は、スイッチ基台１１の面に対して凹面を対向させて置かれる。このとき、第１の可動接点６、第２の可動接点７は、それぞれ第１の固定接点１２、第２の固定接点１３に対して非接触の状態で向き合っている。
【００３７】
この状態で、カバーシート１４は、スイッチ基台１１の附属部品としてスイッチ基台１１の周縁に粘着や接着などの固着手段によって固定される。なお、通常、カバーシート１４は、前記の通り、粘着シートであり、接点ばね１の凸面に粘着面で接着され、その周縁でスイッチ基台１１に接着する。このため、接点ばね１とカバーシート１４との間に、相対的なずれはない。この結果、接点ばね１は、スイッチ基台１１とカバーシート１４との間で動き止め状態で保持され、カバーシート１４は、内部の接点ばね１を包み込み、水の浸入やごみの侵入などから保護する。
【００３８】
図４ないし図６は、接点ばね１を平板型のスイッチ基台１１に組み込んで、薄型（シート型）の２段クリック機能付きスイッチ１０を構成したときの動作状態を示している。図４の（１）のように、接点ばね１は、スイッチ基台１１の面に対して凹面を対向させて置かれる。このときに、第１の可動接点６、第２の可動接点７は、それぞれ第１の固定接点１２、第２の固定接点１３に対して非接触の状態で向き合っているから、それらの接続状態は、図４の（２）のように、ａ、ｂ、ｃの間で電気的に開放している。
【００３９】
図５の（１）のように、操作者が第２の可動接点部５に対して矢印方向から力を加え、その力を次第に増加させて行くと、まず、第１の可動接点部４は、偏平な状態に変形し、やがて凹凸の向きを反転させ、第１の可動接点６を第１の固定接点１２に接触させる。この反転のときに、第１のクリック動作（１段目の動作）が起こり、操作者は、力の急変によってクリック感を得る。この第１のクリック動作によって、図５の（２）のように、ａ、ｃの間が電気的に導通状態となる。
【００４０】
図６の（１）のように、引き続き操作者が矢印方向の力を加えて行くと、つぎに、第２の可動接点部５は、偏平な状態に変形し、やがて凹凸の向きを反転して、第２の可動接点７を第２の固定接点１３に接触させる。この反転によっても第２のクリック動作（２段目の動作）が起こり、操作者は、力の急変によってクリック感を得る。この第２のクリック動作によって、図６の（２）のように、ａ、ｂ、ｃの間が電気的に導通状態となる。
【００４１】
このように、２段クリック機能付き接点スイッチ１０は、その名の通り、接点ばね１の凹凸の向きの反転によって２段階的にクリック動作（第１のクリック動作および第２のクリック動作）をする。このクリック動作の過程で、第１の可動接点部４の反転荷重は、第２の可動接点部５の反転荷重よりも小さく設定されているから、反転動作は、常時、上記の順序となる。
【００４２】
図示の例によると、長孔３および支持片８が中心角に対し等間隔で同じ位相のもとに４個形成されているから、全体のバランスがよく、スイッチ操作のときに、斜め方向の力や中心から外れた力が作用したときでも、安定したクリック動作、スイッチング動作が期待できる。
【００４３】
ここで操作者が第２の可動接点部５に対して矢印方向の力を弱めていくと、先ず、第２の可動接点部５が復帰してもとの状態に戻り、次に、第１の可動接点部４が復帰してもとの状態に戻る。この過程で、第２の可動接点７が第２の固定接点１３から離れ、つぎに第１の可動接点６が第１の固定接点１２から離れる。このようにして、２段クリック機能付き接点スイッチ１０の接点ばね１は、図４の（１）のもとの状態に復帰する。
【００４４】
２段階的なクリック動作時の反転荷重や、復帰荷重は、第１の可動接点部４の凹曲面や、第２の可動接点部５の凹曲面の形状、曲げ部４ａ、５ａの曲げ角度などによって調節できる。第１の可動接点部４の凹曲面や、第２の可動接点部５の凹曲面の設定によって、矢印方向のストロークも調節できるが、通常、全体的なストロークは、支持片８の高さ（下向きの突出寸法）を変更することによって行う。
【実施例２】
【００４５】
つぎに、図７ないし図１０は、本発明に係る箱型の２段クリック機能付きスイッチ１０を示している。箱型の２段クリック機能付きスイッチ１０は、図１の２段クリック機能付きの接点ばね１を主要部として利用し、この接点ばね１を図７の箱型のスイッチ基台１１の内部に組み合わせて構成されている。
【００４６】
図７のように、スイッチ基台１１は、プラスチックなどの絶縁体により上面開口型の箱として成形されており、図２と同様に、内底面に第１の固定接点１２、第２の固定接点１３を有しており、それらの第１の端子１５、第２の端子１６は、箱の側面から突出して、図８ないし図１０の（２）のａ、ｂ、ｃに対応している。そして、接点ばね１は、箱型のスイッチ基台１１の内部に収納され、第１の固定接点１２、第２の固定接点１３に対して接離する。
【００４７】
図８ないし図１０の（１）のように、接点ばね１は、箱型のスイッチ基台１１の内部に納められ、図示しないが、止めリングなどによって保持されか、または接点ばね１の凸面に柔軟なカバーや剛体のスイッチボタンなどのスイッチトップのはめ込みによって外れないように保持される。
【００４８】
箱型の２段クリック付きスイッチ１０でも、薄型の２段クリック機能付きスイッチ１０と同様に動作する。図８の（１）のスイッチ動作前の状態のときに、第１の可動接点６、第２の可動接点７は、それぞれ第１の固定接点１２、第２の固定接点１３に対して非接触の状態で向き合っているから、それらの接続状態は、図８の（２）のように、ａ、ｂ、ｃの間で電気的に開放している。
【００４９】
図９の（１）のように、操作者が第２の可動接点部５に対し矢印方向から力を加えると、第１のクリック動作（１段目の動作）が起こり、第１の可動接点６は第１の固定接点１２に接触する。この動作によって、図９の（２）のように、ａ、ｃの間が電気的に導通状態となる。
【００５０】
図１０の（１）のように、引き続き操作者が矢印方向の力を加えて行くと、つぎに、第２のクリック動作（２段目の動作）が起こり、第２の可動接点７は、第２の固定接点１３に接触する。このとき、図１０の（２）のように、ａ、ｂ、ｃの間が電気的に導通状態となる。
【００５１】
ここで操作者が第２の可動接点部５に対して矢印方向の力を弱めていくと、先ず、第２の可動接点部５が復帰し、次に、第１の可動接点部４が復帰してもとの状態に戻る。このようにして、接点ばね１は、もとの状態に復帰する。
【産業上の利用可能性】
【００５２】
本発明に係る２段クリック機能付きスイッチ１０は、各種機器のプッシュスイッチとして広く用いられるが、特に、カメラなどのシャターボタンのように、確実な２段クリック機能（２段動作）を必要とする用途に適する。
【符号の説明】
【００５３】
１  ２段クリック機能付き接点ばね
２  円形ばね材
３  長孔
４  第１の可動接点部    ４ａ  曲げ部
５  第２の可動接点部    ５ａ  曲げ部
６  第１の可動接点
７  第２の可動接点
８  支持片
９  連結部
１０  ２段クリック機能付きスイッチ
１１  スイッチ基台
１２  第１の固定接点
１３  第２の固定接点
１４  カバーシート
１５  第１の端子
１６  第２の端子
【図１】
2010177044.tif 000003
【図２】
2010177044.tif 000004
【図３】
2010177044.tif 000005
【図４】
2010177044.tif 000006
【図５】
2010177044.tif 000007
【図６】
2010177044.tif 000008
【図７】
2010177044.tif 000009
【図８】
2010177044.tif 000010
【図９】
2010177044.tif 000011
【図１０】
2010177044.tif 000012